(57)【要約】    【課題】      複数の使用者が所定の地点で待ち合わせをする場合に効率よく待ち合わせ情報を獲得することができるようにすること。    【解決手段】  誘導ルートの算出処理を行う待ち合わせサーバ１００と、待ち合わせサーバ１００および通信端末装置２００Ａとデータを送受信する基地局４００Ａと、設置場所の位置情報およびスポット情報を発信する無線ＬＡＮシステム３００Ａと、全地球測位システムにより位置測定用の電波を発信するＧＰＳ衛星５００と、基地局４００Ａを介して待ち合わせサーバ１００と送受信し、少なくとも使用者および指定したメンバーを現地点から指定した待ち合わせ地点までリアルタイムで誘導する待ち合わせモードを実行する通信端末装置２００Ａと、を備える。  【選択図】      図１
2005351859.tif 000002
【特許請求の範囲】
【請求項１】
誘導ルートの算出処理を行う待ち合わせサーバと、
前記待ち合わせサーバおよび通信端末装置とデータを送受信する基地局と、
設置場所の位置情報およびスポット情報を発信する無線ＬＡＮシステムと、
全地球測位システムにより位置測定用の電波を発信するＧＰＳ衛星と、
前記基地局を介して前記待ち合わせサーバと送受信する通信端末装置と、を備え、
前記通信端末装置は、少なくとも使用者および指定したメンバーを現地点から指定した待ち合わせ地点までリアルタイムで誘導する待ち合わせモードを実行する待ち合わせモード処理部を具備することを特徴とする無線通信システム。
【請求項２】
前記待ち合わせモードの実行中に、前記待ち合わせサーバにより新たな誘導ルートを算出して誘導するサブ待ち合わせモードを実行することを特徴とする請求項１記載の無線通信システム。
【請求項３】
請求項１または請求項２記載の無線通信システムで使用される通信端末装置であって、
前記待ち合わせモードの実行中に、複数の指定メンバーが所持している通信端末装置の現地点の位置情報および所定の待ち合わせ地点までの誘導ルートのルート情報を表示する表示手段を具備することを特徴とする通信端末装置。
【請求項４】
前記表示手段は、前記待ち合わせモードの実行中に、前記誘導ルートで使用する移動手段に関する移動手段情報を表示することを特徴とする請求項３記載の通信端末装置。
【発明の詳細な説明】
【技術分野】
【０００１】
本発明は、移動通信システム等で用いられる１台の通信端末装置で、他の複数の通信端末装置に対して待ち合わせ情報の送受信を行う待ち合わせモードを有する無線通信システム、および前記無線通信システムで用いる通信端末装置に関する。
【背景技術】
【０００２】
従来、この種の無線通信システムとして、現地点から行きたい目的地点の情報を設定することにより、サーバが現地点から目的地までのルートおよび所要時間等の情報を通信端末装置に送信するものが知られている（例えば、特許文献１参照）。
【０００３】
また、この種の無線通信システムで用いられる通信端末装置として、ＧＰＳ（全地球測位システム）を使用した位置情報と、データ−ベースの地図情報とに基づいてルート検索を行うことにより、行き先を指定するだけで目的地までのルート情報を表示してくれるものがある（例えば、特許文献２参照）。
【特許文献１】特開２００２−３０２０４２号公報
【特許文献２】特開２００２−２６２３３８号公報
【発明の開示】
【発明が解決しようとする課題】
【０００４】
しかしながら、この種の従来の無線通信システムは、主に一人の使用者を目的地に誘導するための情報を通信端末装置に送信する１対１の誘導システムである。このため、従来の無線通信システムでは、複数の使用者の現在位置をリアルタイムで把握することができなかった。
【０００５】
また、従来の無線通信システムおよび通信端末装置においては、複数の使用者が所定の地点で待ち合わせする場合、使用者同士が音声電話やメール等で相互に現在位置の確認を行う必要があった。
【０００６】
このため、従来の無線通信システムおよび通信端末装置では、複数の使用者が所定の地点で待ち合わせする場合に時間や手間がかかってしまい、効率よく待ち合わせ情報を獲得することができないという問題があった。
【０００７】
また、従来の無線通信システムおよび通信端末装置においては、所定の待ち合わせ地点までの誘導ルートを指定する場合、待ち合わせ地点の位置情報を具体的に指定する必要があった。このため、従来の無線通信システムおよび通信端末装置では、指定された待ち合わせ地点の情報が分かりにくいものになってしまう可能性があった。
【０００８】
本発明は、かかる点に鑑みてなされたもので、複数の使用者が所定の地点で待ち合わせをする場合に効率よく待ち合わせ情報を獲得することができる無線通信システムおよび通信端末装置を提供することを目的とする。
【課題を解決するための手段】
【０００９】
かかる課題を解決するため、本発明の無線通信システムは、誘導ルートの算出処理を行う待ち合わせサーバと、前記待ち合わせサーバおよび通信端末装置とデータを送受信する基地局と、設置場所の位置情報およびスポット情報を発信する無線ＬＡＮシステムと、全地球測位システムにより位置測定用の電波を発信するＧＰＳ衛星と、前記基地局を介して前記待ち合わせサーバと送受信する通信端末装置と、を備え、前記通信端末装置は、少なくとも使用者および指定したメンバーを現地点から指定した待ち合わせ地点までリアルタイムで誘導する待ち合わせモードを実行する待ち合わせモード処理部を具備する構成を採る。
【００１０】
この構成によれば、前記通信端末装置の前記待ち合わせモードを実行することにより、少なくとも使用者および指定したメンバーを現地点から指定した待ち合わせ地点までリアルタイムで誘導することができる。また、この構成においては、前記通信端末装置の現地点の位置情報を前記待ち合わせサーバに送ることにより、前記指定メンバーの現地点の位置や動向を知ることが可能であるので、前記使用者本人に安心感を与えることができ、要領よい待ち合わせシステムを実現することができる。また、この構成においては、子供や視覚障害者、高齢者と待ち合わせするときに、相手の動向を前記通信端末装置で確認することが可能であるので、利用者が精神面での安心感を得られる。また、この構成においては、指定したメンバーが迷子になった場合でも、この指定メンバーに適切な情報を提供することができるので、この指定メンバーをスムーズに待ち合わせ地点まで誘導するように対処することができる。
【発明の効果】
【００１１】
本発明によれば、複数の指定メンバーが所定の地点で待ち合わせをする場合に、効率よく待ち合わせ情報を得ることができる。
【発明を実施するための最良の形態】
【００１２】
以下、本発明の実施の形態について、図面を参照して詳細に説明する。なお、各図において同一の構成または同一の機能を有する構成要素および相当部分には、同一の符号を付してその説明は繰り返さない。
【００１３】
（実施の形態１）
図１は、本発明の実施の形態１に係る無線通信システムの全体的な構成を示す概念図である。図２は、本実施の形態１に係る無線通信システムで用いる通信端末装置の構成を示すブロック図である。
【００１４】
図１に示すように、本実施の形態１に係る無線通信システムは、待ち合わせサーバ１００、通信端末装置２００Ａ，２００Ｂ、無線ＬＡＮシステム３００Ａ，３００Ｂ、基地局装置４００Ａ，４００Ｂ、およびＧＰＳ衛星５００などで構成されている。
【００１５】
通信端末装置２００Ａ，２００Ｂは、図２に示すように、アンテナ２０１、デュプレクサ２０２、受信部２０３、送信部２０４、制御部２０５、音声処理部２０６、スピーカ２０７、マイク２０８、画像処理部２０９、表示部２１０、ＧＰＳアンテナ２１１、ＧＰＳ処理部２１２、待ち合わせモード処理部２１３、バイブレータ駆動部２１４、バイブレータ２１５、操作部２１６、記憶部２１７を備えている。
【００１６】
図２において、アンテナ２０１が受信した信号は、デュプレクサ２０２により受信部２０３に送られる。受信部２０３は、デュプレクサ２０２から送られてきた受信信号を復調処理して制御部２０５に送る。
【００１７】
制御部２０５は、復調処理された受信信号の音声情報を音声処理部２０６に送る。音声処理部２０６は、制御部２０５から送られてきた音声情報を音声信号に変換してスピーカ２０７に出力する。スピーカ２０７は、入力された音声信号を音声に変換して通信端末装置２００Ａ，２００Ｂの使用者に知らせる。
【００１８】
また、制御部２０５は、復調処理された受信信号の文字情報および画像情報を画像処理部２０９に送る。画像処理部２０９は、制御部２０５から送られてきた文字情報および画像情報を文字信号および画像信号に変換して表示部２１０に出力する。表示部２１０は、入力された文字信号および画像信号を文字および画像に変換してディスプレイ表示する。
【００１９】
ＧＰＳアンテナ２１１は、ＧＰＳ衛星５００と通信を行って使用者の位置データ（例えば、緯度および経度）を受信する。ＧＰＳアンテナ２１１が受信した信号は、ＧＰＳ処理部２１２において通信端末装置２００Ａ，２００Ｂに対応した位置データに変換されて制御部２０５に送られる。
【００２０】
制御部２０５は、待ち合わせモード処理部２１３と適時データのやり取りを行うことができる。また、制御部２０５は、バイブレータ駆動部２１４を介してバイブレータ２１５を駆動することにより、使用者に受信メッセージがあることを知らせることができる。さらに、制御部２０５は、操作ボタンからなる操作部２１６のキー操作により、記憶部２１７に記憶されている電話番号や受信メッセージなどを随時読み出すことができる。
【００２１】
音声処理部２０６は、マイク２０８により入力された音声信号を制御部２０５に送る。制御部２０５は、マイク２０８から入力された音声信号を送信部２０４に送る。この送信部２０４には、操作部２１６によりキー入力された入力信号も制御部２０５を介して送られる。
【００２２】
送信部２０４は、制御部２０５から送られてきた信号を所定の送信信号に変換してデュプレクサ２０２に送る。デュプレクサ２０２は、送信部２０４から送られてきた送信信号をアンテナ２０１に送る。アンテナ２０１は、デュプレクサ２０２から送られてきた送信信号を無線送信する。
【００２３】
待ち合わせモード処理部２１３は、制御部２０５の指示により待ち合わせモードを実行する。この待ち合わせモードでは、通信端末装置２００Ａの使用者と通信端末装置２００Ｂの使用者とが所定の地点で待ち合わせする際に、何れかの使用者が待ち合わせ地点を指定すると、待ち合わせにふさわしい待ち合わせスポットを、通信端末装置２００Ａまたは通信端末装置２００Ｂの表示部２１０に表示して使用者に紹介する。
【００２４】
また、この待ち合わせモードでは、例えば、待ち合わせ時の天候が、雨および気温の低い場合には、屋内に限定した待ち合わせスポットを通信端末装置２００Ａまたは通信端末装置２００Ｂの表示部２１０に表示して使用者に紹介する。ここで、晴れの場合には、待ち合わせモードは屋外を主に指定する待ち合わせスポットを使用者に紹介する。
【００２５】
また、この待ち合わせモードでは、待ち合わせ時間が夜である場合には、明るい場所にある待ち合わせスポットを指定するなど、環境に順応したスポットを指定することが可能になっている。
【００２６】
このように、待ち合わせモード処理部２１３を備えた通信端末装置２００Ａ，２００Ｂは、待ち合わせ時の天候や時間帯と照らし合わせて、待ち合わせにふさわしい待ち合わせスポットを指定して、複数の使用者を所定の待ち合わせ地点に速やかに誘導できるように、各使用者に待ち合わせスポット情報を紹介することができる。
【００２７】
このように、本実施の形態１に係る無線通信システムにおいては、通信端末装置２００Ａ，２００Ｂの待ち合わせモードを実行させることで、自分および指定した人物を所定の待ち合わせ地点まで効率よく誘導することが可能な待ち合わせ通信システムを実現することができる。
【００２８】
次に、本実施の形態１に係る無線通信システムによる前記待ち合わせモードの流れについて説明する。図３は、本発明の実施の形態１に係る無線通信システムにおける待ち合わせモードの流れを示すシーケンス図である。図３においては、一例として、通信端末装置２００Ａの使用者を使用者本人とし、通信端末装置２００Ｂの使用者を指定メンバーとして説明することとする。
【００２９】
図３において、まず、使用者本人は、通信端末装置２００Ａの待ち合わせモード設定画面（不図示）で、操作部２１６の操作により所定の待ち合わせ場所および待ち合わせ時間を設定する。ここで、使用者本人が、所定の待ち合わせ地点を「渋谷駅」とし、待ち合わせ時間を「１０時」として、待ち合わせ場所および待ち合わせ時間をおおまかに指定したとする。
【００３０】
この場合、図１に示した待ち合わせサーバ１００は、使用者本人の通信端末装置２００Ａにより指定された待ち合わせ時間や、待ち合わせ時の天候に応じて、適切な待ち合わせスポットを抽出し、抽出したスポットリストを使用者本人の通信端末装置２００Ａに送信して表示する。
【００３１】
すなわち、待ち合わせサーバ１００は、例えば、待ち合わせ地点の天候が雨であれば室内のスポットを、待ち合わせ地点の天候が晴れであれば屋外のスポットを抽出する。また、待ち合わせサーバ１００は、待ち合わせ時間が夜であれば、明るいスポットに限定して抽出するなど、安心して待ち合わせできるスポット情報を使用者本人の通信端末装置２００Ａに知らせる。
【００３２】
一方、使用者本人は、待ち合わせサーバ１００により抽出されて通信端末装置２００Ａの表示部２１０に表示されたスポットリストの中から希望する待ち合わせスポットを、操作部２１６を操作して指定する。このとき、使用者本人は、前記スポットリスト以外の待ち合わせしたいスポットを操作部２１６により指定することもできる。
【００３３】
次いで、使用者本人は、通信端末装置２００Ａの記憶部２１７から電話帳に登録してある電話番号やメールアドレスを呼び出して、待ち合わせしたいメンバーを指定する。このとき、使用者本人は、待ち合わせしたいメンバーを操作部２１６の操作により新に指定したり複数指定したりすることもできる。
【００３４】
通信端末装置２００Ａにより使用者本人が設定した各種情報は、基地局装置４００Ａを通じて待ち合わせサーバ１００に送られる。待ち合わせサーバ１００は、通信端末装置２００Ａから送られてきた各種情報を処理し、使用者本人が指定した指定メンバーの通信端末装置２００Ｂに対して、待ち合わせモードの起動許可を求める許可信号を送る。
【００３５】
指定メンバーの通信端末装置２００Ｂは、待ち合わせサーバ１００から送られてきた許可信号を受けて、待ち合わせモードの起動を許可するか否かを、表示部２１０に表示またはスピーカ２０７からの音声によるメッセージにより指定メンバーに報知する。このメッセージを受けて、指定メンバーが待ち合わせモードの起動を許可するように通信端末装置２００Ｂの操作部２１６を操作すると、この待ち合わせモードの起動を許可する回答（ＯＫ）と共に指定メンバーがいる現地点の位置情報を待ち合わせサーバ１００に送る。ここで、指定メンバーが待ち合わせモードの起動を許可しなかった場合には、待ち合わせモードを否定する回答（ＮＧ）を待ち合わせサーバ１００に送る。
【００３６】
待ち合わせサーバ１００は、通信端末装置２００Ａおよび通信端末装置２００Ｂから受け取った各々の位置情報に基づいて、現地点から待ち合わせ地点までの誘導ルートおよび出発時間の情報を算出し、待ち合わせ指定状況を使用者本人に、待ち合わせ地点ルート情報を指定メンバーにそれぞれ送り返す。
【００３７】
このとき、指定メンバーは、表示部２１０の表示および操作部２１６の操作により、出発地点を現地点または指定地点のいずれにするかを選択することができる。また、指定メンバーは、表示部２１０の表示および操作部２１６の操作により、出発地点から待ち合わせ地点までの交通手段として、徒歩（電車＆バス）または車のいずれかの交通手段を選択することができる。
【００３８】
待ち合わせサーバ１００は、指定メンバーが選択した交通手段に応じて、指定メンバーが使用する交通手段にふさわしい誘導ルートを算出する。また、待ち合わせサーバ１００は、通信端末装置２００Ｂの現地点と算出した誘導ルートとが異なっていないかどうかを随時自動的に照合する。
【００３９】
ここで、通信端末装置２００Ｂの現地点と算出した誘導ルートとが異なっている場合には、待ち合わせサーバ１００は、待ち合わせモードの実行中に指定メンバーが何らかの事情で誘導ルートから外れたと判断する。そして、待ち合わせサーバ１００は、通信端末装置２００Ｂのバイブレータ２１５を作動させて、所定の誘導ルートから外れていることを指定メンバーに知らせ、通信端末装置２００Ｂの自地点情報（現地点の位置情報）を送信するように要求する。
【００４０】
これを受けて、指定メンバーが通信端末装置２００Ｂの自地点情報を待ち合わせサーバ１００に送信すると、待ち合わせサーバ１００は、通信端末装置２００Ｂの自地点情報から待ち合わせ地点までの誘導ルートを再算出し、その算出結果を誘導ルートから外れた指定メンバーに送り返す。
【００４１】
また、待ち合わせサーバ１００は、交通渋滞や交通事故のリアルタイムデータを持っており、これらのデータを考慮して、待ち合わせ地点までの最短かつ最速の誘導ルートを算出して指定メンバーに通知する機能も有している。この構成により、指定メンバーが指示した誘導ルートが外れても、通信端末装置２００Ｂの自地点情報により、新たな誘導ルートの情報を指定メンバーに迅速に通知することができる。
【００４２】
ここで、通信端末装置２００Ａ，２００Ｂの現地点の位置情報は、図１に示したＧＰＳ衛星５００によるデータ受信や狭範囲で出力する無線ＬＡＮシステム３００Ａ，３００Ｂの出力データにより取得することができる。すなわち、本実施の形態１に係る無線通信システムにおける無線ＬＡＮシステム３００Ａ，３００Ｂは、例えば、それらが設置されている駅や店などのスポット名や住所データ等を発信して、通信端末装置２００Ａ，２００Ｂに、その現地点の位置情報を通知するように構成されている。
【００４３】
一方、待ち合わせサーバ１００は、使用者本人に対して、複数の指定メンバー全員の待ち合わせモードの動作の許可状況の結果を送信することができる。また、待ち合わせサーバ１００は、一定時間毎に使用者本人と指定メンバーとの現地点の位置情報を受け取って、待ち合わせメンバー全員の現地点の位置情報を待ち合わせメンバー全員に送信することができる。従って、この無線通信システムにおいては、待ち合わせモードを起動している指定メンバーの各々が、待ち合わせメンバー全員の動向を一定時間毎に把握することができる。
【００４４】
そして、前記誘導ルートに導かれて待ち合わせ地点に到着した使用者本人および指定メンバーは、待ち合わせ完了の回答（待ち合わせ地点到着報告）信号を待ち合わせサーバ１００に送信し、所定の待ち合わせ地点に待ち合わせメンバー全員が到着したことを知らせる。
【００４５】
上述のように、本実施の形態１に係る無線通信システムにおいては、簡単な操作を行うだけで、待ち合わせをする指定メンバーの通信端末装置２００Ｂの待ち合わせモードを起動させて、指定メンバーに対して最短かつ最速な誘導ルートおよび自地点情報を通知し、指定メンバーを待ち合わせ地点までスムーズに導くことができる。
【００４６】
（実施の形態２）
次に、図４を参照して、本発明の実施の形態２に係る無線通信システムについて説明する。図４（ａ）は、本実施の形態２に係る無線通信システムの概略的な構成を示す概念図である。図４（ｂ）は、本例の無線通信システムで用いる通信端末装置のディスプレイ部にディスプレイ表示する表示例の説明図である。図４（ｃ）は、本例の無線通信システムで用いる通信端末装置のディスプレイ部に表示する他のディスプレイ表示例の説明図である。
【００４７】
本実施の形態２に係る無線通信システムにおいて使用される通信端末装置２００Ａ，２００Ｂは、前述した待ち合わせモードを作動している待ち合わせメンバーＡ，Ｂ，Ｃ，Ｄの全員の動向を、待ち合わせモードの実行中に表示部２１０にディスプレイ表示して確認できるように構成されている。
【００４８】
すなわち、この無線通信システムにおける通信端末装置２００Ａ，２００Ｂの表示部２１０には、例えば、図４（ｂ）に示すディスプレイ表示例１のように、集合場所、集合時間、待ち合わせメンバーＡ，Ｂ，Ｃ，Ｄの全員の集合状況、現地点の位置情報および到着予定時間などが表示される。
【００４９】
ここで、指定された待ち合わせ地点へ向かっているメンバーは、現地点の位置情報（現在地）と到着予定時間とが表示される。また、指定された待ち合わせ地点に到着したメンバーは、「集合完了」と表示される。
【００５０】
また、本例の通信端末装置２００Ａ，２００Ｂは、待ち合わせモードの作動中に自分がいる現地点を他人に知られたくない場合には、他のメンバーの表示部２１０に自地点を表示させないように設定することも可能である。この場合には、現地点を他人に知られたくないメンバーの所持している通信端末装置の表示部２１０に「非公開」と表示される。また、通信ができない状態のメンバーには、このメンバーの所持している通信端末装置の表示部２１０に「不通」と表示される。なお、本例の通信端末装置２００Ａ，２００Ｂは、通信ができない状態のメンバーには、現地点の位置情報等を表示部２１０に表示させないように設定することもできる。
【００５１】
また、本例の通信端末装置２００Ａ，２００Ｂは、図４（ｂ）に示すディスプレイ表示例１のように、待ち合わせメンバーＡ，Ｂ，Ｃ，Ｄの全員がいる現地点の位置情報や集合位置などを表示部２１０にマップで表示することができる。
【００５２】
このような機能を備えた通信端末装置２００Ａ，２００Ｂにおいては、待ち合わせメンバーＡ，Ｂ，Ｃ，Ｄの全員の待ち合わせ状況を視覚的に簡単に知ることができる。特に、この通信端末装置２００Ａ，２００Ｂにおいては、他のメンバーの動向を視覚的に知ることができるので、その動向から集合場所を知らないメンバーが所定の集合場所に行くことができる。
【００５３】
また、本例の無線通信システムにおける通信端末装置２００Ａ，２００Ｂの表示部２１０は、図４（ｃ）に示すディスプレイ表示例２のように、所定の集合位置に到着したメンバーの表示を点滅させることにより到着メンバーが誰であるかを知らせ、この到着メンバーの到着時間と「到着しました」というメッセージとを表示するようになっている。
【００５４】
このように、本実施の形態２に係る無線通信システムにおいては、待ち合わせモードを作動させている指定メンバーに待ち合わせ地点までの誘導ルートを提供することができ、かつ指定メンバー同士がお互いの集合状況をリアルタイムで確認できるようになる。
【００５５】
（実施の形態３）
次に、図５を参照して、本発明の実施の形態３に係る無線通信システムについて説明する。図５（ａ）は、本実施の形態３に係る無線通信システムの概略的な構成を示す概念図である。図５（ｂ）は、本例の無線通信システムで用いる通信端末装置のディスプレイ部に表示するディスプレイ表示例の説明図である。図５（ｃ）は、本例の無線通信システムで用いる通信端末装置のディスプレイ部に表示する他のディスプレイ表示例の説明図である。
【００５６】
本実施の形態３に係る無線通信システムは、メインの待ち合わせモード（以下、これを「メイン待ち合わせモード」という）の実行中に、新たに「サブ待ち合わせモード」を設定できるようにした待ち合わせ通信システムである。
【００５７】
ここでいうサブ待ち合わせモードとは、メイン待ち合わせモードの実行中に、狭いエリアで特定の場所、あるいは他の指定メンバーとの間で新たに別途のルートで待ち合わせをすることができるようにした待ち合わせモードである。
【００５８】
例えば、このサブ待ち合わせモードは、あるメンバーが待ち合わせ地点に直行せず他の指定メンバーのいる地点に寄ってから待ち合わせ地点へ向かいたい場合、途中で迷子になり他の指定メンバーと合流してから待ち合わせ地点へ向かう場合などに実行される。そして、このサブ待ち合わせモードが完了すると再びメイン待ち合わせモードが実行される。
【００５９】
本例の無線通信システムにおいては、サブ待ち合わせモードを作動させることにより、図５（ｂ）に示すディスプレイ表示例３のように、通信端末装置２００Ａ，２００Ｂの表示部２１０に、第２の集合位置２や到着時間などを表示させることができ、指定したメンバー全員に他のメンバーがサブ待ち合わせモードを実行しているか否か知らせることができる。
【００６０】
従って、本実施の形態３に係る無線通信システムにおいては、そのサブ待ち合わせモードを設定することにより、容易な操作で多人数とのスムーズな待ち合わせを行うことができる。
【００６１】
（実施の形態４）
次に、本発明の実施の形態４に係る無線通信システムについて説明する。本実施の形態４に係る無線通信システムの通信端末装置２００Ａ，２００Ｂは、その表示部２１０に、電車やバスの出発時刻、下車すべき駅名やバス停名を表示できるように構成されている。
【００６２】
この無線通信システムにおいては、待ち合わせモードの実行中に電車およびバス等を使用している場合、ホームまたはバス停に着くと、その場に設置した無線ＬＡＮシステムやＧＰＳ衛星を用いて得た位置データ等により、駅やバス停に到着したことを認識し、誘導ルートと照らし合わせて電車やバスの出発時刻、下車すべき駅名やバス停名を表示することができる。
【００６３】
また、この無線通信システムにおいては、通信端末装置２００Ａ，２００Ｂの表示部２１０に、電車やバスの出発時刻まで後何分であるかも表示することができるようになっている。また、この無線通信システムの通信端末装置２００Ａ，２００Ｂの表示部２１０に表示される情報としては、主に出発時刻、下車時刻、下車駅名、乗車ホーム番号、電車乗り客の乗車率、事故放送などがある。
【００６４】
本実施の形態４に係る無線通信システムにおいては、待ち合わせメンバーが時刻表を使って情報収集する必要が無く、メンバーが知らないような集合場所でも電車やバスを利用して指定された待ち合わせ場所まで指定メンバーを安心して誘導することができる。
【産業上の利用可能性】
【００６５】
本発明に係る無線通信システムは、複数の使用者が所定の地点で待ち合わせをする場合に効率よく待ち合わせ情報を獲得することができるので、待ち合わせ通信システムおよびその通信端末装置として有用である。
【図面の簡単な説明】
【００６６】
【図１】本発明の実施の形態１に係る無線通信システムの全体的な構成を示す概念図
【図２】本発明の実施の形態１に係る無線通信システムで用いる通信端末装置の構成を示すブロック図
【図３】本発明の実施の形態１に係る無線通信システムにおける待ち合わせモードの流れを示すシーケンス図
【図４】（ａ）は、本発明の実施の形態２に係る無線通信システムの概略的な構成を示す概念図、（ｂ）は、前記無線通信システムで用いる通信端末装置のディスプレイ部にディスプレイ表示する表示例の説明図、（ｃ）は、前記無線通信システムで用いる通信端末装置のディスプレイ部に表示する他のディスプレイ表示例の説明図
【図５】（ａ）は、本発明の実施の形態３に係る無線通信システムの概略的な構成を示す概念図、（ｂ）は、前記無線通信システムで用いる通信端末装置のディスプレイ部に表示するディスプレイ表示例の説明図、（ｃ）は、前記無線通信システムで用いる通信端末装置のディスプレイ部に表示する他のディスプレイ表示例の説明図
【符号の説明】
【００６７】
１００      待ち合わせサーバ
２００Ａ，２００Ｂ      通信端末装置
２０１      アンテナ
２０２      デュプレクサ
２０３      受信部
２０４      送信部
２０５      制御部
２０６      音声処理部
２０７      スピーカ
２０８      マイク
２０９      画像処理部
２１０      表示部
２１１      ＧＰＳアンテナ
２１２      ＧＰＳ処理部
２１３      待ち合わせモード処理部
２１４      バイブレータ駆動部
２１５      バイブレータ
２１６      操作部
２１７      記憶部
３００Ａ，３００Ｂ      無線ＬＡＮシステム
４００Ａ，４００Ｂ      基地局装置
５００      ＧＰＳ衛星
【図１】
2005351859.tif 000003
【図２】
2005351859.tif 000004
【図３】
2005351859.tif 000005
【図４】
2005351859.tif 000006
【図５】
2005351859.tif 000007